(57)【要約】【課題】山間地に架設された送電線の巡視業務にかかる作業者の負担軽減および安全確保を実現すること。【解決手段】一端にグリップ１３０を備えた中空の棒形状をなすシャフト１１０に、内側に薬液を保持するリザーバー１２０と、当該リザーバー１２０内の薬液をシャフト１１０の内側の空間を経由して当該シャフト１１０の先端からシャフト１１０の外部に噴射させる噴射機構と、噴射機構による薬液を噴射する操作を受け付ける操作スイッチと、を設けた防護具１００を構成した。これにより、山間地に架設された送電線の巡視業務にかかる作業者６００の負担軽減および安全確保を実現することができる。【選択図】図６
2020115815.tif 000002
【特許請求の範囲】
【請求項１】
中空の棒形状をなすシャフトと、
前記シャフトの長さ方向の一端側に設けられたグリップと、
前記シャフトに設けられて内側に薬液を保持するリザーバーと、
前記リザーバーに設けられて、当該リザーバー内の薬液を前記シャフトの内側の空間を経由して当該シャフトの先端から当該シャフトの外部に噴射させる噴射機構と、
前記グリップまたは当該グリップの近傍に設けられて、前記噴射機構による前記薬液を噴射する操作を受け付ける操作スイッチと、
を備えたことを特徴とする防護具。
【請求項２】
前記リザーバーは、噴射用の薬剤が充填された密閉空間を備えたタンクと、当該タンク内に設けられて前記薬液が充填された薬液保持袋と、当該リザーバーの周壁を貫通して当該薬液保持袋に接続された管状のリザーブチューブと、を備え、
前記噴射機構は、前記薬液保持袋に接続され、当該薬液保持袋内に充填された前記薬液を前記シャフトの内側の空間を経由して当該シャフトの先端から当該シャフトの外部に噴射させることを特徴とする請求項１に記載の防護具。
【請求項３】
前記リザーバーは、前記シャフトと前記グリップとの間に設けられていることを特徴とする請求項１または２に記載の防護具。
【発明の詳細な説明】
【技術分野】
【０００１】
この発明は、山間地に架設された送電線の巡視業務などに用いる防護具に関する。
【背景技術】
【０００２】
山間地に架設された送電線の巡視業務に際しては、熊との遭遇が懸念される。このため、巡視業務をおこなう作業員は、万一、熊に遭遇した場合を想定して、熊避けスプレーを携行している。熊避けスプレーは、作業者が手に持って巡視業務をおこなうと、転倒に際して誤発射させてしまうことが懸念されるため、たとえば、巡視業務に用いる機材などを収容するカバンなどに入れて携行している。
【０００３】
具体的には、従来、たとえば、所定方向に加えられた外力に応じて本体部の内部側面に沿って往復動する支持脚の外部側面に熊よけの薬液が入ったスプレー缶が固定された支持脚を、所定方向に加えられた外力に応じて本体部の内部側面に沿って往復動させ、本体部の外部側面に取り付けられた押圧部によってスプレー缶の噴射作動部を押圧することで、熊よけとしても使用することができるようにしたステッキに関する技術があった（たとえば、下記特許文献１を参照。）。
【０００４】
また、具体的には、従来、たとえば、中空形状の中棒の一端に設けられ、操作された場合に、中棒内に収容されたスプリングの付勢力によって、中棒の他端に取り付けられた展開シートを広げるように複数本の親骨を展開する展開ボタンが取り付けられた握柄に液化防犯ガスを充填した防犯スプレーのリザーバーを設け、中棒の先端部に取り付けられた石突にリザーバーからの防犯ガスを噴射させる噴射ノズルを設けた野生動物撃退ステッキに関する技術があった（たとえば、下記特許文献２を参照。）。
【先行技術文献】
【特許文献】
【０００５】
【特許文献１】特開2007-284921号公報
【特許文献２】特開2006-121977号公報
【発明の概要】
【発明が解決しようとする課題】
【０００６】
しかしながら、上述したように、熊避けスプレーをカバンなどに入れて携行する場合、巡視業務中に熊と遭遇して慌てるなどして、咄嗟にカバンから熊避けスプレーを取り出して噴射するまでに手間取ってしまうという問題があった。また、熊避けスプレーを取り出して噴射するまでに手間取ると、熊を撃退できずに襲われてしまう懸念があるという問題があった。
【０００７】
また、上述した特許文献１に記載された従来の技術は、道路などへのマーキングを主目的としており、体積が大きく、凹凸があるため、巡視作業のために山間部に立ち入る際の携行性に劣り、作業者にかかる負担が大きいという問題があった。
【０００８】
また、上述した特許文献２に記載された従来の技術は、傘のような構成であり、携行する際には展開シートを中棒に巻き付けることで外形状の簡素化を図ることができるが、展開シートを中棒に巻き付けるためには、展開シートに、変形しやすい薄さや柔軟性が要求されるため、たとえば、山間部における巡視中に作業者が体のバランスをとるために先端を地面に突くステッキとして使用する際に、展開シートが山中の石や植物の根や枝と擦れあって損傷してしまうことが懸念されるという問題があった。
【０００９】
また、上述した特許文献１や特許文献２に記載された従来の技術は、いずれも、スプレー剤の誤噴射防止と、万一熊に遭遇した際の即時使用の実現と、を両立することは難しく、ステッキとして使用中に誤ってスプレー剤を噴射させてしまうことが懸念されるという問題があった。
【００１０】
この発明は、上述した従来技術による問題点を解消するため、山間地に架設された送電線の巡視業務にかかる作業者の負担軽減および安全確保を実現することができる防護具を提供することを目的とする。
【課題を解決するための手段】
【００１１】
上述した課題を解決し、目的を達成するため、この発明にかかる防護具は、中空の棒形状をなすシャフトと、前記シャフトの長さ方向の一端側に設けられたグリップと、前記シャフトに設けられて内側に薬液を保持するリザーバーと、前記リザーバーに設けられて、当該リザーバー内の薬液を前記シャフトの内側の空間を経由して当該シャフトの先端から当該シャフトの外部に噴射させる噴射機構と、前記グリップまたは当該グリップの近傍に設けられて、前記噴射機構による前記薬液を噴射する操作を受け付ける操作スイッチと、を備えたことを特徴とする。
【００１２】
また、この発明にかかる防護具は、上記の発明において、前記リザーバーが、噴射用の薬剤が充填された密閉空間を備えたタンクと、当該タンク内に設けられて前記薬液が充填された薬液保持袋と、当該リザーバーの周壁を貫通して当該薬液保持袋に接続された管状のリザーブチューブと、を備え、前記噴射機構が、前記薬液保持袋に接続され、当該薬液保持袋内に充填された前記薬液を前記シャフトの内側の空間を経由して当該シャフトの先端から当該シャフトの外部に噴射させることを特徴とする。
【００１３】
また、この発明にかかる防護具は、上記の発明において、前記リザーバーが、前記シャフトと前記グリップとの間に設けられていることを特徴とする。
【発明の効果】
【００１４】
この発明にかかる防護具によれば、山間地に架設された送電線の巡視業務にかかる作業者の負担軽減および安全確保を実現することができるという効果を奏する。
【図面の簡単な説明】
【００１５】
【図１】この発明にかかる実施の形態の防護具の構成を示す説明図である。
【図２】フラップを使用位置に位置づけた状態を示す説明図である。
【図３】操作スイッチの構造を示す説明図である。
【図４】リザーバーおよび噴射機構の構造を示す説明図である。
【図５】噴射機構の動作を示す説明図である。
【図６】防護具の使用例を示す説明図である。
【図７】薬液の再充填方法を示す説明図である。
【図８】この発明にかかる別の実施の形態の防護具を示す説明図（その１）である。
【図９】この発明にかかる別の実施の形態の防護具を示す説明図（その２）である。
【発明を実施するための形態】
【００１６】
以下に添付図面を参照して、この発明にかかる防護具の好適な実施の形態を詳細に説明する。
【００１７】
（防護具の構成）
まず、この発明にかかる実施の形態の防護具の構成について説明する。図１は、この発明にかかる実施の形態の防護具の構成を示す説明図である。図１において、この発明にかかる実施の形態の防護具１００は、シャフト１１０と、リザーバー１２０と、グリップ１３０と、を備えている。
【００１８】
シャフト１１０は、中空の棒形状をなす。シャフト１１０の内側の中空部は、シャフト１１０の長さ方向における両端が開放されている。シャフト１１０は、たとえば、アルミニウムなどの金属材料を用いて形成することができる。あるいは、シャフト１１０は、カーボンや合成樹脂などの非金属材料を用いて形成されていてもよい。
【００１９】
シャフト１１０の長さは、防護具１００を携行する作業者の体型などに応じて任意の長さとすることができる。具体的には、シャフト１１０の長さは、防護具１００全体の長さ寸法が、広く普及しているトレッキングポールなどの長さと同等程度であることが好ましい。
【００２０】
たとえば、トレッキングポールは、歩行時の負担軽減および転倒防止の観点からは、トレッキングポールの使用者の身長に０．６〜０．７の数値を乗算した長さであることが好ましいとされている。このことから、シャフト１１０の長さは、たとえば、防護具１００全体の長さが、トレッキングポールなどの長さと同等程度になるように調整することが好ましい。
【００２１】
これにより、防護具１００をトレッキングポールのように身体の支えにして使用しながら山間地などを歩行する際に、足にかかる負担を手や腕にも分散させることができる。そして、これによって、長時間の歩行による足の疲労を緩和し、転倒を防止することができる。
【００２２】
シャフト１１０において、長さ方向におけるリザーバー１２０やグリップ１３０とは反対側、すなわち、シャフト１１０の先端側には、リング１１１が設けられている。リング１１１は、円盤形状あるいは円錐台形状をなす。リング１１１は、たとえば、地面が柔らかい場合などに、地面に突いたシャフト１１０の先端が地面に沈み込むことを防止する。
【００２３】
リザーバー１２０は、シャフト１１０の長さ方向における一端側に設けられている。リザーバー１２０は、軸心方向における両端がプレートによって閉じられた円筒形状をなす。リザーバー１２０は、内側に、タンクを備えている（図３〜図５を参照）。タンクは、完全密閉が可能な容器であって、内側に気体や液体を収容することができる密閉空間を備えている。
【００２４】
この実施の形態において、タンクには、トウガラシの辛みの主成分であるカプサイシンなどを含む熊避け用の薬液が充填されている。リザーバー１２０には、タンク内に充填された薬液をタンクの外に噴射する噴射機構が取り付けられている。噴射機構は、タンク内に充填された薬液を、霧状にして噴射する。リザーバー１２０および噴射機構については説明を後述する（図３および図４を参照）。
【００２５】
グリップ１３０は、リザーバー１２０におけるシャフト１１０とは反対側に設けられている。グリップ１３０は、防護具１００を使用して山間地などを歩行する作業者が握る部分であって、たとえば、図１に示すように、「Ｉ」型と称される形状とすることができる。グリップ１３０の形状は、「Ｉ」型に限るものではなく、たとえば、「Ｔ」型と称されるグリップ１３０の長さ方向に交差する持ち手が設けられた形状であってもよい。
【００２６】
グリップ１３０は、たとえば、コルクを用いて形成されている。グリップ１３０の外表面全体にコルクを設けてもよく、グリップ１３０全体をコルクによって形成してもよい。グリップ１３０は、コルクに限らず、たとえば、ＥＶＡ（Ｅｔｈｙｌｅｎｅ−Ｖｉｎｙｌ  Ａｃｅｔａｔｅ）フォームなどと称されるエチレン−酢酸ビニル共重合樹脂や、ラバー（ゴム）や、ポリエチレンなどの合成樹脂によって形成されていてもよい。
【００２７】
グリップ１３０は、内側に貫通孔を備えた中空筒形状をなすグリップ本体１３１と、グリップ本体１３１の軸心方向における一端側に連結されたフラップ１３２と、を備えている。フラップ１３２は、グリップ本体１３１におけるシャフト１１０とは反対側に連結されている。フラップ１３２は、グリップ本体１３１との連結位置を支点として、グリップ本体１３１に当接する非使用位置と、グリップ本体１３１から離反してグリップ本体１３１の内側を外部に開放する使用位置と、の間で回動可能に連結されている。
【００２８】
図２は、フラップ１３２を使用位置に位置づけた状態を示す説明図である。図２に示すように、グリップ本体１３１の内側には、操作スイッチ２０１が設けられている。操作スイッチ２０１は、フラップ１３２を使用位置に位置づけた状態において、外部に開放される。操作スイッチ２０１は、たとえば、リザーバー１２０に近づく方向への外力が加えられた場合に、当該外力によってリザーバー１２０に近づく方向に移動する押しボタン構造をなす。
【００２９】
グリップ１３０は、フラップ１３２を非使用位置において固定する、図示を省略するロック機構を備えていてもよい。ロック機構は、たとえば、グリップ本体１３１あるいはフラップ１３２のいずれか一方に設けられたツメと、グリップ本体１３１あるいはフラップ１３２のいずれか他方に設けられて、フラップ１３２が非使用位置に位置づけられている状態においてツメが係合されるリブと、によって構成することができる。
【００３０】
このようなロック機構においては、フラップ１３２の回動にともなってリブを回避するようにツメを弾性変形させることによって、フラップ１３２の固定を解除することができる。具体的に、ツメは、ツメを形成する材料やツメの形状を調整することにより、所定以上の外力が加えられた場合に、リブを回避するように弾性変形させることができる。
【００３１】
これにより、作業者が意図せずにフラップ１３２が使用位置に位置づけられて操作スイッチ２０１が露出することを防止できる。そして、これによって、作業者が意図せずに操作スイッチ２０１が操作されてしまうことを防止することができ、刺激の強い薬液が作業者に付着することを防止して、作業者の安全性を確保することができる。
【００３２】
また、所定以上の外力が加えられた場合にのみ弾性変形するように、ツメを形成する材料やツメの形状を調整することにより、山間地の歩行に際してフラップ１３２に物がぶつかるなどした場合にも、ぶつかった衝撃によってツメが容易に弾性変形して、ロックが容易に解除されてしまうことを防止できる。これにより、作業者が意図せずに操作スイッチ２０１が操作されてしまうことを防止することができ、刺激の強い薬液が作業者に付着することを防止して、作業者の安全性を確保することができる。
【００３３】
（操作スイッチ２０１の構造）
つぎに、操作スイッチ２０１の構造について説明する。図３は、操作スイッチ２０１の構造を示す説明図である。図３においては、防護具１００の一部であって、図１におけるＡ−Ａ線に沿って切断した一部を断面した状態を示している。
【００３４】
図３に示すように、操作スイッチ２０１は、ロッド３０１と、スイッチ部材３０２と、を備えている。ロッド３０１は、棒形状をなし、グリップ本体１３１の内側に形成される管路において、シャフト１１０の長さ方向に沿って平行な状態で配置されている。スイッチ部材３０２は、ロッド３０１の長さ方向における一端に設けられている。
【００３５】
グリップ１３０の内側には、フラップ１３２が非使用位置に位置づけられている状態において、グリップ本体１３１におけるリザーバー１２０とは反対側の端部に設けられた凹部１３１ａと、フラップ１３２におけるグリップ本体１３１側の面に形成された凹部１３２ａと、によって空間１３３が形成される。スイッチ部材３０２は、フラップ１３２が非使用位置に位置づけられている状態において、グリップ１３０の内側の空間１３３内に収容される。
【００３６】
グリップ本体１３１に設けられた凹部１３１ａは、略中央部分がもっとも深くなるように緩やかに傾斜した形状をなす。スイッチ部材３０２は、グリップ本体１３１に設けられた凹部１３１ａのうち、もっとも深い位置に設けられている。また、操作スイッチ２０１は、グリップ本体１３１に設けられた凹部１３１ａの壁面から、スイッチ部材３０２の一部が突出した状態で設けられている。
【００３７】
これにより、操作スイッチ２０１の操作に際して、作業者は、グリップ本体１３１に設けられた凹部１３１ａに突き当てた指を当該凹部におけるもっとも深い位置に押し込むようにスライドさせることで、スイッチ部材３０２を目視することなく、手探りでスイッチ部材３０２の位置を把握することができる。
【００３８】
スイッチ部材３０２は、フラップ１３２が非使用位置に位置づけられている状態において、フラップ１３２から離間している。非使用位置に位置づけられている状態のフラップ１３２と操作スイッチ２０１とが離間していることにより、たとえば、山間地の歩行に際してフラップ１３２に物がぶつかるなどした場合にも、ぶつかった衝撃が操作スイッチ２０１に加わることを防止することができる。これにより、作業者が意図せずに操作スイッチ２０１が操作されてしまうことを防止することができ、刺激の強い薬液が作業者に付着することを防止して、作業者の安全性を確保することができる。
【００３９】
ロッド３０１におけるスイッチ部材３０２とは反対側の端部（以下、「ロッド３０１の先端」という）は、リザーバー１２０におけるグリップ１３０側のプレート１２０ａを貫通して、リザーバー１２０の内側に位置づけられており、リザーバー１２０内に設けられたタンク３０３に対向している。スイッチ部材３０２は、リザーバー１２０の軸心方向に沿って移動可能に設けられている。
【００４０】
スイッチ部材３０２は、作業者によって、スイッチ部材３０２がグリップ本体１３１に設けられた凹部１３１ａにおけるもっとも深い位置に押し込まれるように操作された場合に、リザーバー１２０の軸心方向に沿って、ロッド３０１の先端がタンク３０３に近づき当接する方向に移動する。スイッチ部材３０２が凹部におけるもっとも深い位置に押し込まれることによる操作スイッチ２０１（ロッド３０１の先端）の移動量は、操作スイッチ２０１が操作されていない状態におけるロッド３０１の先端とタンク３０３との距離よりも大きい。
【００４１】
スイッチ部材３０２は、略円柱形状をなし、作業者によって操作された場合に、グリップ本体１３１が内側に備える貫通孔１３１ｂの内周面に外周面を当接させた状態で移動する。これにより、タンク３０３に充填された薬液がグリップ本体１３１と操作スイッチ２０１との隙間から漏れ出すことを防止して、作業者の安全性を確保することができる。グリップ本体１３１あるいはスイッチ部材３０２には、グリップ本体１３１に対するスイッチ部材３０２のスライドを許容し、かつ、グリップ本体１３１の内周面とスイッチ部材３０２の外周面との間を密閉するシール部材（図示を省略する）が設けられていてもよい。
【００４２】
（リザーバー１２０および噴射機構の構造）
つぎに、リザーバー１２０および噴射機構の構造について説明する。図４は、リザーバー１２０および噴射機構の構造を示す説明図である。図４においては、防護具１００を図２におけるＡ−Ａ線に沿って切断した断面における、リザーバー１２０およびその周辺を示している。
【００４３】
図４に示すように、リザーバー１２０は、内側にタンク３０３を備えている。タンク３０３は、内側に密閉された空間を備えた略円筒形状をなす。タンク３０３は、噴射機構４００を介してリザーバー１２０に連結されている。タンク３０３自体は、リザーバー１２０の内側において固定されておらず、リザーバー１２０内において移動可能に収容されている。
【００４４】
タンク３０３の外径寸法は、リザーバー１２０の内径寸法と同等であることが好ましい。タンク３０３の外径寸法を、リザーバー１２０の内径寸法と同等とすることにより、リザーバー１２０内においてリザーバー１２０の軸心方向に沿ってタンク３０３を移動可能とするとともに、タンク３０３がリザーバー１２０内でがたつくことを防止できる。
【００４５】
噴射機構４００は、ステム４０１を備えている。ステム４０１は、軸心方向における一端側が開放された筒形状をなす。ステム４０１において、開放された一端側は、リザーバー１２０におけるシャフト１１０側のプレート１２０ｂを貫通して、シャフト１１０の内側に位置づけられている。ステム４０１の長さをシャフト１１０の長さと同等の長さとすることにより、ステム４０１において開放された一端側を、シャフト１１０の内側を経由してシャフト１１０の先端近傍に位置づけることができる。
【００４６】
ステム４０１の長さは、シャフト１１０の長さと同等の長さに限るものではなく、リザーバー１２０におけるシャフト１１０側のプレート１２０ｂを貫通した位置までの長さとしてもよい。この場合、ステム４０１において開放された一端側にチューブ（図示を省略する）の一端を接続し、当該チューブの他端をシャフト１１０の先端近傍に位置づけることが好ましい。
【００４７】
ステム４０１は、リザーバー１２０におけるシャフト１１０側のプレート１２０ｂを貫通する位置において、当該プレートに固定されている。リザーバー１２０におけるシャフト１１０側のプレート１２０ｂとステム４０１との間は、図示を省略するシール材などによって密閉されていることが好ましい。
【００４８】
ステム４０１において、開放された一端側とは反対側の他端には、ステム４０１の他端を塞止するステムエンド４０２が設けられている。ステムエンド４０２の外径寸法はステム４０１の外径寸法よりも大きい。ステムエンド４０２を含むステム４０１の他端側は、スリーブ４０３によって覆われている。スリーブ４０３は、内径寸法がステムエンド４０２の外径寸法よりも大きく、軸心方向の一端側を閉じる底部を備えた有底筒形状をなす。スリーブ４０３は、タンク３０３に固定されている。タンク３０３とスリーブ４０３との間は密閉されている。
【００４９】
ステムエンド４０２において、ステム４０１とは反対側には、コイルスプリング４０４が設けられている。コイルスプリング４０４は、コイルの軸心方向における一端がステム４０１の他端に当接し、コイルの軸心方向における他端がスリーブ４０３の底部４０３ａに当接している。コイルスプリング４０４は、軸心方向に沿ってコイルスプリング４０４を圧縮する方向に荷重が加えられた場合に、当該荷重に対する反力を作用させる圧縮スプリング１１１によって実現される。コイルスプリング４０４は、荷重が加えられていない状態において、ステムエンド４０２とスリーブ４０３の底部４０３ａとを離間させる。
【００５０】
スリーブ４０３において、底部４０３ａとは反対側の開口４０３ｂには、ステム４０１の外周面との隙間を塞ぐステムガスケット４０５が設けられている。ステムガスケット４０５は、一端がスリーブ４０３における開口４０３ｂ側の内周面に固定され、他端がステム４０１の外周面に当接している。ステムガスケット４０５は、タンク３０３の内側を密閉し、スリーブ４０３の内周面とステム４０１の外周面との間から薬液が漏れることを防止する。
【００５１】
ステム４０１において、コイルスプリング４０４に荷重が加えられていない状態においてステムガスケット４０５が当接する位置には、ステム孔４０１ａが設けられている。ステム孔４０１ａは、ステム４０１の周壁を貫通している。コイルスプリング４０４に荷重が加えられていない状態において、ステム孔４０１ａは、ステムガスケット４０５によって閉塞されている。
【００５２】
スリーブ４０３の底部４０３ａには、当該底部４０３ａを板厚方向に貫通する貫通孔４０３ｃが設けられている。貫通孔４０３ｃには、管形状をなすディップチューブ４０６の一端が接続されている。ディップチューブ４０６の他端は、薬液保持袋４０７に接続されている。薬液保持袋４０７とディップチューブ４０６の他端とは、たとえば、溶着などによって、隙間なく密着した状態で取り付けられている。スリーブ４０３、コイルスプリング４０４、ディップチューブ４０６は、タンク３０３内に収容されている。
【００５３】
タンク３０３内には、薬液保持袋４０７の外側に、噴射用の薬剤が充填されている。噴射用の薬剤は、たとえば、常温において気体となる物質であって、具体的には、たとえば、窒素ガスなどの噴射用のガスによって実現することができる。薬液保持袋４０７は、タンク３０３を形成する材質よりも柔軟性が高い。
【００５４】
具体的には、薬液保持袋４０７の柔軟性は、たとえば、薬液保持袋４０７を形成する材質や薬液保持袋４０７の厚さを調整することによって確保することができる。これにより、薬液保持袋４０７に対しては、常に、噴射用のガスによって薬液保持袋４０７を収縮させる（体積を小さくする）方向への圧力が加えられている。
【００５５】
リザーバー１２０には、再充填用の開口４０８が設けられている。再充填用の開口４０８は、リザーバー１２０の周壁を貫通している。再充填用の開口４０８の内径寸法は、汎用的なエアゾールスプレーにおけるステム４０１の外径寸法と同程度とされている。
【００５６】
再充填用の開口４０８の周囲には、汎用的なエアゾールスプレーにおけるステムの外径寸法より大きく、当該エアゾールスプレーにおけるマウンティングカップにおける中央部の突起の外形寸法より小さい、環状のリブ４０９が設けられている。環状のリブ４０９の先端には、ゴムなどの弾性材料によって形成された緩衝材が設けられていてもよい。環状のリブ４０９は、完全な環形状をなすものに限らず、該当位置に断続的に設けられた複数のリブであってもよい。
【００５７】
再充填用の開口４０８には、一端が薬液保持袋４０７に接続されたリザーブチューブ４１０の他端が接続されている。薬液保持袋４０７とリザーブチューブ４１０の他端とは、たとえば、溶着などによって、隙間なく密着した状態で取り付けられている。
【００５８】
再充填用の開口４０８またはリザーブチューブ４１０における再充填用の開口４０８の近傍には、図示を省略する逆流防止弁が設けられている。逆流防止弁は、再充填用の開口４０８から薬液保持袋４０７側への流体の移動を許容し、薬液保持袋４０７から再充填用の開口４０８側への流体の移動を規制する。再充填用の開口４０８には、取り外し可能なキャップが取り付けられていてもよい。薬液保持袋４０７は、ディップチューブ４０６およびリザーブチューブ４１０との接続部分以外の部分がすべて密閉されている。
【００５９】
逆流防止弁は、環状のリブ４０９の先端からの位置が、汎用的なエアゾールスプレーにおけるステムにおける、当該エアゾールスプレーにおけるマウンティングカップの先端位置からの長さ寸法よりも短くなる位置に設けてもよい。これにより、後述する薬液の再充填に際して、再充填用の開口４０８に汎用的なエアゾールスプレーにおけるステムが挿入された場合にのみ、当該ステム４０１に押されて、再充填用の開口４０８から薬液保持袋４０７側への流体の移動を許容する状態にすることができる。
【００６０】
（噴射機構４００の動作）
つぎに、噴射機構４００の動作について説明する。図５は、噴射機構４００の動作を示す説明図である。作業者が、スイッチ部材３０２を凹部におけるもっとも深い位置に押し込むと、操作スイッチ２０１が、ロッド３０１の先端をタンク３０３に近づけるように移動する。上記のように、操作スイッチ２０１（ロッド３０１の先端）の移動量は、操作スイッチ２０１が操作されていない状態におけるロッド３０１の先端とタンク３０３との距離よりも大きいため、スイッチ部材３０２が凹部におけるもっとも深い位置に押し込まれると、タンク３０３は、ロッド３０１の先端によって付勢されて、シャフト１１０側に移動する。
【００６１】
タンク３０３がシャフト１１０側に移動すると、タンク３０３の移動にともなって、タンク３０３に固定されているスリーブ４０３もシャフト１１０側に移動する。これにより、ステムガスケット４０５によって塞がれていたステム孔４０１ａが開放されるとともに、タンク３０３内に位置づけられる。ステム孔４０１ａが開放されることにより、ステム孔４０１ａを介して薬液保持袋４０７の内側と外側とが連通される。
【００６２】
薬液保持袋４０７は、噴射用のガスによって収縮する方向に付勢されているため、薬液保持袋４０７の内側と外側とが連通されると、薬液保持袋４０７が収縮する。具体的には、薬液保持袋４０７に充填されていた薬液にかけられていた圧力が、ステム孔４０１ａを介して薬液保持袋４０７の外部に逃げることによって、薬液保持袋４０７が収縮する。
【００６３】
このとき、薬液保持袋４０７に充填されていた薬液は、ステム孔４０１ａを介してステム４０１内に押し出される。具体的に、薬液保持袋４０７に充填されていた薬液は、ディップチューブ４０６からスリーブ４０３内に流入し、スリーブ４０３の内周面とステムエンド４０２の外周面との間を通過し、ステム孔４０１ａを介して、ステム４０１内に押し出される。ステム孔４０１ａの開口径を調整することにより、薬液を霧状にしてステム４０１内に押し出すことができる。
【００６４】
ステム４０１内に押し出された霧状の薬液は、噴射用のガスによって収縮する薬液保持袋４０７から押し出される霧状の薬液によってさらに押し出される。上記のように、ステム４０１において開放された一端側は、直接あるいはチューブを介して、シャフト１１０の先端近傍に位置づけられているため、ステム４０１内に押し出された霧状の薬液は、シャフト１１０の先端から外部へ噴射される。
【００６５】
ステム４０１の内径寸法、あるいは、ステム４０１の先端に接続されたチューブの内径寸法を調整することにより、噴射用のガスによって薬液保持袋４０７から押し出された勢いを低下させることなく、シャフト１１０の先端から外部へ噴射させることができる。
【００６６】
（防護具１００の使用例）
つぎに、防護具１００の使用例について説明する。図６は、防護具１００の使用例を示す説明図である。防護具１００は、グリップ１３０とシャフト１１０を備えているため、山間地に架設された送電線の巡視業務のために山間地などを歩行する際には、防護具１００を、トレッキングポールのようにして使用することができる。具体的には、作業者６００は、グリップ１３０を把持し、シャフト１１０の先端を地面に突くことで、防護具１００をトレッキングポールのように身体の支えとして使用することができる。
【００６７】
これにより、作業者６００の足にかかる負担を、地面に突いた防護具１００によって作業者６００の手や腕にも分散させることができる。そして、これによって、起伏があったりぬかるんでいたりして足場の悪い山間地を長時間歩行する場合にも、作業者６００の足の疲労を緩和することができる。
【００６８】
また、防護具１００をトレッキングポールのようにして使用することにより、作業者６００は、両足と防護具１００との３点で身体を支えることができるので、足が滑るなどして不意にバランスを崩した場合などにおける転倒を防止することができる。これにより、山間地に架設された送電線の巡視業務にかかる作業者６００の安全性を確保することができる。
【００６９】
また、山間地に架設された送電線の巡視業務のために山間地などを歩行する際に、万一、熊６１０などの野生動物に遭遇し、当該野生動物が作業者６００に危害を加えるおそれがある場合は、フランジを使用位置に位置づけて、操作スイッチ２０１を操作する。これにより、図６に示すように、防護具１００におけるシャフト１１０の先端から、トウガラシの辛みの主成分であるカプサイシンなどを含む熊避け用の薬液を噴射させることができる。
【００７０】
上記のように、フラップ１３２を非使用位置において固定するロック機構を構成するツメを形成する材料やツメの形状を調整し、ツメが容易に弾性変形しないように調整することにより、真にフラップ１３２を使用位置に位置づけたい場合は、フラップ１３２を使用位置に位置づけるように操作するだけで、容易にロック機構によるロックを解除することができる。これにより、薬液の噴射を迅速におこなうことができる。山間地に架設された送電線の巡視業務にかかる作業者６００の安全性を確保することができる。
【００７１】
また、防護具１００によれば、フラップ１３２を使用位置に位置づけて、操作スイッチ２０１を押し込むように操作するだけで薬液を噴射することができるので、万一、熊６１０などの野生動物に遭遇して気持ちが動転している場合にも、作業者６００は、操作に手間取ることなく、薬液の噴射を迅速におこなうことができる。山間地に架設された送電線の巡視業務にかかる作業者６００の安全性を確保することができる。
【００７２】
また、防護具１００においては、グリップ１３０に操作スイッチ２０１が設けられているため、作業者６００は、フラップ１３２を使用位置に位置づけるために防護具１００を持ち替えることなく、グリップ１３０を握った手の親指に力を込めるだけで、容易にフラップ１３２を使用位置に位置づけることができる。これにより、作業者６００に負担をかけることなく、薬液の噴射を迅速におこなうことができる。
【００７３】
また、防護具１００を用いることにより、薬液保持袋４０７から押し出された薬液を、シャフト１１０の先端、つまり、作業者６００の手元および身体から離された位置から噴射することができる。これにより、熊６１０などの野生動物と作業者６００との距離を極力確保した状態で、薬液を噴射することができ、山間地に架設された送電線の巡視業務にかかる作業者６００の安全性を確保することができる。
【００７４】
また、作業者６００の手元および身体から離された位置から薬液を噴射することができるので、噴射した薬液が風などによってシャフト１１０の先端の周囲に拡散した場合にも、飛散した薬液が作業者６００に付着することを抑制することができる。これによって、山間地に架設された送電線の巡視業務にかかる作業者６００の安全性を確保することができる。
【００７５】
（薬液の再充填方法）
つぎに、薬液の再充填方法について説明する。図７は、薬液の再充填方法を示す説明図である。この発明にかかる実施の形態の防護具１００は、エアゾールスプレータイプの市販の熊避けスプレー７００の薬液を再充填することができる。薬液の再充填に際しては、まず、市販の熊避けスプレー７００のキャップや、薬液の噴射時に使用者が操作するアクチュエーターなどを外して、市販の熊避けスプレー７００におけるステムを露出させる。
【００７６】
つぎに、露出させたステムを、図７に示すように、再充填用の開口４０８に挿入する。そして、ステムを挿入した熊避けスプレー７００におけるマウンティングカップの先端を、環状のリブ４０９に押しつける。これにより、熊避けスプレー７００から薬液が噴射され、噴射された薬液がリザーブチューブ４１０を介して薬液保持袋４０７に注入される。
【００７７】
このように、この発明にかかる実施の形態の防護具１００によれば、市販の熊避けスプレー７００の薬液を再充填することができるため、トレッキングポールおよび熊６１０などの野生動物に遭遇した場合の護身具として、繰り返し使用することができる。これにより、廃棄する資源を減らし、環境の悪化抑制に寄与することができる。
【００７８】
（別の実施の形態）
つぎに、この発明にかかる別の実施の形態の防護具について説明する。図８および図９は、この発明にかかる別の実施の形態の防護具を示す説明図である。別の実施の形態の防護具においては、上述した実施の形態と同一部分は、同一符号で示す。
【００７９】
図８および図９に示すように、この発明にかかる別の実施の形態の防護具１００は、ステム４０１において開放された一端側が、複数に分岐している。複数に分岐したうちの１つは、シャフト１１０の先端近傍に位置づけられている。複数に分岐したうちの別の１つは、シャフト１１０の先端近傍に設けられたリング１１１の近傍に位置づけられている。複数に分岐したうちの別の１つは、リング１１１の近傍であって、リング１１１よりもシャフト１１０の先端側に位置づけることが好ましい。
【００８０】
このような構成において、作業者６００が、スイッチ部材３０２を凹部におけるもっとも深い位置に押し込むことによって、薬液保持袋４０７からステム４０１内に押し出された薬液は、シャフト１１０の先端において広範囲に拡散されて噴射される。これにより、噴射した薬液により、熊６１０などの野生動物の退避を効果的に促して、作業者６００の安全確保を実現することができる。
【００８１】
上述した各実施の形態においては、操作スイッチ２０１を操作し、ロッド３０１の先端によってタンク３０３がシャフト１１０側に移動している場合にのみ薬液が噴射され、作業者６００が操作スイッチ２０１から手を離すとコイルスプリング４０４の弾性力によってスリーブ４０３が元の位置に復帰してステム孔４０１ａが塞止される構成の防護具１００について説明したが、これに限るものではない。
【００８２】
防護具１００においては、たとえば、操作スイッチ２０１を、ロックピンによって構成することによって、一旦、スイッチ部材３０２を凹部におけるもっとも深い位置に押し込んだ状態で操作スイッチ２０１の位置が固定されるようにしてもよい。
【００８３】
ロックピンは、ロッド３０１の先端部分に、ロッド３０１の外周面から埋没可能に突出するストッパを備えている。ストッパは、ロッド３０１の内側に設けられた付勢部材によって、ロッド３０１の外周面から突出する方向に付勢されている。ストッパは、ロッド３０１の他端に設けられたスイッチ部材３０２をロッド３０１の先端に押し込むように操作した場合に、付勢部材の付勢力に抗して、ロッド３０１の外周面から埋没する位置に移動する。ロックピンについては、公知の各種の技術を用いて容易に実現可能であるため、図示および説明を省略する。
【００８４】
このような操作スイッチ２０１を備えた防護具１００は、作業者６００が、操作スイッチ２０１を操作すると、ストッパがロッド３０１の外周面から埋没する位置に移動し、ロッド３０１がタンク３０３を移動させる位置まで当該ロッド３０１を移動させることができる。そして、スイッチ部材３０２を凹部におけるもっとも深い位置に押し込んだ位置で手を離すと、付勢部材の付勢力によってストッパがロッド３０１の外周面から突出する。
【００８５】
突出したストッパは、リザーバー１２０におけるシャフト１１０側のプレート１２０ｂに対して、タンク３０３側から係合する。これにより、ステム孔４０１ａが開放され薬液が噴射される状態で、タンク３０３の位置を固定することができる。これにより、一旦、操作スイッチ２０１を操作した後は、薬液が噴射される状態を維持することができる。
【００８６】
これによって、作業者６００は、薬液の噴射状態を気にすることなく、シャフト１１０の先端が、熊６１０などの野生動物に向けられているかどうかに注力することができる。そして、これによって、操作スイッチ２０１の操作と、熊６１０などの野生動物に対するシャフト１１０の先端位置と、のように、一度に複数の作業に注力することなく、薬液の噴射方向のみに注力して、熊６１０などの野生動物の接近を回避するよう行動することができる。これにより、作業者６００の安全性を確保することができる。
【００８７】
また、上述した各実施の形態においては、ツメとリブとの係合によってフラップ１３２を非使用位置において固定するロック機構について説明したが、ロック機構はこれに限るものではない。たとえば、人力で引き剥がすことができる程度の接着力で、フラップ１３２とグリップ本体１３１とを接着する接着剤によってロック機構を実現してもよい。
【００８８】
接着剤によってロック機構を実現することにより、フラップ１３２を確実に非使用位置に固定することができるので、作業者６００が意図せずにフラップ１３２が使用位置に位置づけられて操作スイッチ２０１が露出することを確実に防止できる。
【００８９】
接着剤によってロック機構を実現する場合、一旦、フラップ１３２を使用位置に位置づけると、現場において再度ロックすることは難しい。このため、接着剤によってロック機構を実現する場合、熊６１０などの野生動物に遭遇した場合の護身具としての機能は使い切りとなる。一方で、巡視作業に際しては、鈴を携行するなど、熊６１０との遭遇を回避するための対策をしており、熊６１０などの野生動物に遭遇する機会は希であることから、薬液を噴射した後に現場で再度のロックは不要となる。このため、接着剤によってロック機構を実現した防護具も、上記と同様に、高い有用性を発揮することができる。
【００９０】
また、フラップ１３２は、グリップ本体１３１に常時連結されているものに限らない。たとえば、ロックを解除した場合は、グリップ本体１３１から完全に分離する構成であってもよい。この場合、熊６１０などの野生動物に遭遇した場合の護身具としての機能は使い切りとなるものの、上記と同様に、薬液を噴射した後に現場で再度のフラップ１３２のロックは不要となる。このため、フラップ１３２をグリップ本体１３１から完全に分離できる構成の防護具も、上記と同様に、高い有用性を発揮することができる。
【００９１】
以上説明したように、この発明にかかる実施の形態の防護具１００は、中空の棒形状をなすシャフト１１０と、シャフト１１０の長さ方向の一端側に設けられたグリップ１３０と、シャフト１１０に設けられて内側に薬液を保持するリザーバー１２０と、リザーバー１２０に設けられて、当該リザーバー１２０内の薬液をシャフト１１０の内側の空間を経由して当該シャフト１１０の先端からシャフト１１０の外部に噴射させる噴射機構４００と、グリップ１３０または当該グリップ１３０の近傍に設けられて、噴射機構４００による薬液を噴射する操作を受け付ける操作スイッチ２０１と、を備えたことを特徴としている。
【００９２】
この発明にかかる実施の形態の防護具１００によれば、作業者６００は、グリップ１３０を把持してシャフト１１０の先端を地面に突いて歩行することによって、防護具１００をトレッキングポールとして身体の支えに使用することができる。これにより、山間地などの足場の不安定な場所を歩行する際に、作業者６００の足にかかる負担を手や腕にも分散させ、長時間の歩行による足の疲労を緩和するとともに、転倒を防止して作業者６００の安全を確保することができる。そして、これによって、山間地に架設された送電線の巡視業務にかかる作業者６００の負担軽減および安全確保を実現することができる。
【００９３】
また、この発明にかかる実施の形態の防護具１００によれば、リザーバー１２０および噴射機構４００が、グリップ１３０およびシャフト１１０と一体に設けられており、作業者６００の手元および身体から離された位置から、リザーバー１２０が保持する薬液をシャフト１１０の先端からシャフト１１０の外部に噴射させることができる。これにより、山間地に架設された送電線の巡視業務のために山間地などを歩行する際に、万一、熊６１０などの野生動物に遭遇した場合、操作スイッチ２０１を操作することによって、防護具１００を地面に突いて歩行していた状態から直ちに薬液を噴射させることができる。そして、これによって、熊６１０などの野生動物が作業者６００に近接する前に薬液を噴射させ、熊６１０などの野生動物の退避を促して、作業者６００の安全確保を実現することができる。
【００９４】
このように、この発明にかかる実施の形態の防護具１００によれば、山間地に架設された送電線の巡視業務にかかる作業者６００の負担軽減および安全確保を実現することができる。
【００９５】
また、この発明にかかる実施の形態の防護具１００は、リザーバー１２０が、噴射用の薬剤が充填された密閉空間を備えたタンク３０３と、当該タンク３０３内に設けられて薬液が充填された薬液保持袋４０７と、当該リザーバー１２０の周壁を貫通して当該薬液保持袋４０７に接続された管状のリザーブチューブ４１０と、を備え、噴射機構４００が、薬液保持袋４０７に接続され、当該薬液保持袋４０７内に充填された薬液をシャフト１１０の内側の空間を経由して当該シャフト１１０の先端からシャフト１１０の外部に噴射させることを特徴としている。
【００９６】
この発明にかかる実施の形態の防護具１００によれば、薬液保持袋４０７内に充填された薬液を噴射した後、リザーブチューブ４１０を介して当該薬液保持袋４０７内に薬液を再充填することができる。これにより、防護具１００を、トレッキングポールおよび熊６１０などの野生動物に遭遇した場合の護身具として、繰り返し使用することができる。そして、これによって、廃棄する資源を減らし、環境の悪化抑制に寄与することができる。
【００９７】
また、この発明にかかる実施の形態の防護具１００は、リザーバー１２０が、シャフト１１０とグリップ１３０との間に設けられていることを特徴としている。
【００９８】
この発明にかかる実施の形態の防護具１００によれば、シャフト１１０とグリップ１３０との間にリザーバー１２０を設け、シャフト１１０、グリップ１３０およびリザーバー１２０を直線上に配置することにより、リザーバー１２０を設けることによる防護具１００全体の重心の偏りや、リザーバー１２０がシャフト１１０から突出することによる取り扱い性の低下を抑えることができる。これにより、リザーバー１２０を設けることによって作業者６００の負担を増やすことなく、山間地に架設された送電線の巡視業務にかかる作業者６００の負担軽減および安全確保を実現することができる。
【産業上の利用可能性】
【００９９】
以上のように、この発明にかかる防護具は、歩行にかかる負担軽減および熊６１０などに遭遇した場合の安全確保に用いる防護具に有用であり、特に、山間地に架設された送電線の巡視業務などに用いる防護具に適している。
【符号の説明】
【０１００】
１００  防護具
１１０  シャフト
１２０  リザーバー
１３０  グリップ
１１１  リング
１３１  グリップ本体
１３１ａ  凹部
１３１ｂ  貫通孔
１３２  フラップ
１３２ａ  凹部
１３３  空間
２０１  操作スイッチ
３０１  ロッド
３０２  スイッチ部材
４００  噴射機構
４０１  ステム
４０１ａ  ステム孔
４０２  ステムエンド
４０３  スリーブ
４０３ａ  底部
４０３ｂ  開口
４０３ｃ  貫通孔
４０４  コイルスプリング
４０５  ステムガスケット
４０６  ディップチューブ
４０７  薬液保持袋
【図１】
2020115815.tif 000003
【図２】
2020115815.tif 000004
【図３】
2020115815.tif 000005
【図４】
2020115815.tif 000006
【図５】
2020115815.tif 000007
【図６】
2020115815.tif 000008
【図７】
2020115815.tif 000009
【図８】
2020115815.tif 000010
【図９】
2020115815.tif 000011